(57)【要約】【課題】簡便にコンセントの不正な使用を防止することができ、しかも防水、防塵ができ、安全であり、かつ使い易いコンセント不正使用防止装置及びこの装置を備えたコンセントを提供する。【解決手段】本装置１は、コンセント部２７に対応する部分に開口部２が形成された枠状本体３と、この枠状本体３に摺動可能に案内するスライド板装着したカバー２１付き機械式カード錠と、キーカード６の操作により施錠位置及び解錠位置に移動可能な上記機械式カード錠の作動体に設けた係止板と、この係止板の移動により係止板と離脱可能に係合するストッパーを備えている。上記カバー内のスライド板に装着した機械式カード錠をコンセント部２７に移動しこの位置で施錠することによってコンセントの使用を阻止し、開錠後は上記機械式カード錠をコンセント部２７の覆いを開放する位置に移動しコンセントの使用を可能とする。【選択図】図１
0003143821.tif 000002
【実用新案登録請求の範囲】
【請求項１】
コンセント部に対応する部分に開口部が形成された枠状本体を備え、この枠状本体に摺動可能に案内するスライド板を設け、このスライド板にコード孔を有するキーカードによって施状開錠するカバー付き機械式カード錠を装着し、このキーカード操作により施錠位置及び開錠位置に移動可能な機械式カード錠の作動体に係止板を設け、この係止板の移動により係止板と離脱可能に係合するストッパーを上記枠状本体に設け、上記スライド板に装着した機械式カード錠をコンセント部に移動しこの位置で施錠することによってコンセントの使用を阻止し、開錠後は上記機械式カード錠をコンセント部の覆いを開放する位置に移動しコンセントの使用を可能とするようにしたことを特徴とするコンセントの不正使用防止装置。
【請求項２】
枠状本体の裏面に剥離紙付きの粘着剤層を設けた請求項１に記載のコンセントの不正使用防止装置。
【請求項３】
機械式カード錠の作動体に設けた係止板は、その端部に折り曲げ部を有しこの折り曲げ部をスライド板に設けた開口部より枠状本体側に延出させ、この折り曲げ部に離脱可能に係合するよう枠状本体に突起状のストッパーを設けた請求項１または２に記載のコンセントの不正使用防止装置。
【請求項４】
スライド板に装着した機械式カード錠をコンセントを覆う位置とコンセントの覆いを開放する位置で停止させ得るよう枠状本体のスライド板案内部に凹部を設けると共に、上記スライド板にこの凹部に離脱可能に係合するクリック部材を設けた請求項１〜３のいずれかに記載のコンセントの不正使用防止装置。
【請求項５】
機械式カード錠のカバーに形成したキーカード挿入口部に、この挿入口を覆うカバー片を設けた請求項１〜４のいずれかに記載のコンセントの不正使用防止装置。
【請求項６】
上記請求項１〜５のいずれかに記載のコンセントの不正使用防止装置を備えたことを特徴とするコンセント。
【考案の詳細な説明】
【技術分野】
【０００１】
本考案は、コンセントが不正に使用されないようにしたコンセント不正使用防止装置及びこの装置を備えたコンセントに関する。
【背景技術】
【０００２】
建物の部屋には、通常電源用としてコンセントが設けられている。このコンセントは専らその所有者が使用しているものであるが、例えば共同住宅や共同ビルあるいは部屋を共有している場合には、廊下やエントランス等の共有スペースあるいは仕切りのない隣接する部屋間等にコンセントが設けられているので、外部の者あるいは内部の者によって不正にコンセントが使用されるおそれがある。
【０００３】
そこで、コンセントの前面をスライド移動可能な遮蔽板で覆い、この遮蔽板の移動を施錠手段によって阻止しコンセントが不正に使用されないようにした情報コンセント施錠装置が提案されている（特許文献１）。しかしながら、この装置は、施錠手段としてシリンダー錠を設け、このシリンダー錠によって作動する突出片を遮蔽板の係合受け部孔に挿入脱出させることによって施錠開錠状態を形成するようにしたものであるので、構造が複雑なものとなり、また遮蔽板が開いている状態でこれに外力が作用した場合には遮蔽板が下がってコンセント前面を閉鎖してしまうことがある。
【０００４】
また、一方、上記コンセントが建物の外面に取りつけられている場合には、コンセントが無断で使用され電力の盗難に合うことが多く、またコンセントが外にあるために風雨に晒されコンセント部から雨水が侵入するという事態が生じる。
【特許文献１】特開２００６−２６９２３０公報（段落「００２０」〜「００２５」及び図１、２）
【考案の開示】
【考案が解決しようとする課題】
【０００５】
本考案は、上記従来の問題点を解決するものであって、簡便にコンセントの不正な使用を防止することができ、しかも防水、防塵ができ、安全であり、かつ使い易いコンセント不正使用防止装置及びこの装置を備えたコンセントを提供しようとするものである。
【課題を解決するための手段】
【０００６】
本考案は、コンセント部に対応する部分に開口部が形成された枠状本体を備え、この枠状本体に摺動可能に案内するスライド板を設け、このスライド板にコード孔を有するキーカードによって施錠開錠するカバー付き機械式カード錠を装着し、このキーカード操作により施錠位置及び開錠位置に移動可能な機械式カード錠の作動体に係止板を設け、この係止板の移動により係止板と離脱可能に係合するストッパーを上記枠状本体に設け、上記スライド板に装着した機械式カード錠をコンセント部に移動しこの位置で施錠することによってコンセントの使用を阻止し、開錠後は上記機械式カード錠をコンセント部の覆いを開放する位置に移動しコンセントの使用を可能とするようにしたものである。
【０００７】
また、本考案は、枠状本体の裏面に剥離紙付きの粘着剤層を設け、この粘着剤層を介してコンセント部の周辺に装着するようにしたものである。
【０００８】
更に、本考案は、係止板として、その端部に折り曲げ部を設け、この折り曲げ部をスライド板に設けた開口部より枠状本体側に延出させ、この折り曲げ部を枠状本体に突起状に形成したストッパーに離脱可能に係合させるようにしたものである。
【０００９】
また、本考案は、スライド板に装着した機械式カード錠をコンセントを覆う位置とコンセントの覆いを開放する位置に停止させ得るよう枠状本体のスライド板案内部に凹部を設けると共に、上記スライド板にこの凹部に離脱可能に係合するクリック部材を設けるようにしたものである。
【００１０】
更に、本考案は、機械式カード錠のカバーに形成したキーカード挿入口部に、この挿入口を覆うカバー片を設け、キーカード挿入口部からの雨水やゴミの侵入を防止するようにしたものである。
【００１１】
また、本考案は、上記コンセントの不正使用防止装置を備えたコンセントを得るようにしたものである。
【考案の効果】
【００１２】
本考案は、上記のように構成され、コンセントに簡便に装着することができると共に、コンセントの不正な使用を防止することができ、かつ安全で扱いやすい簡易な装置を得ることができ、しかもキーカード挿入口部に設けたカバー片によって、キーカード挿入口部から雨水やゴミ等が侵入するのを防ぐことができる。更に不正使用防止装置を備えたコンセントを容易に得ることができる。
【考案を実施するための最良の形態】
【００１３】
本装置１は、図１乃至図７に示すように、室内の壁等に装着されているコンセント部２７に対応するよう開口部２が形成された枠状本体３と、この枠状本体３に摺動可能に案内されるスライド板４と、スライド板に固定される後述の機械式カード錠５と、キーカード６の出し入れ操作によって作動する作動体１２に取り付けた係止板７と、係止板の折り曲げ部８を上記スライド板４に形成した開口部９より枠体側に延出させ上記係止板７の移動に伴って係止板の折り曲げ部８に係合、離脱するよう上記枠状本体３に設けた突起状のストッパー１０を備えている。
【００１４】
上記機械式カード錠５は、特許第３８０９６３６号公報にも記載されているように公知の錠であり、ケース１１と、ケース内に摺動可能に支持される作動体１２と、コード孔を有するキーカード６及びコードカード１３と、コード孔に係合するボールと、作動体１２の移動を規制するピンと、ピンを挿入する長孔と、ピンをボール側に付勢するバネを備えており、キーカード６とコードカード１３のコード孔の位置関係により、キーカード６を差し込んだ際に作動体１２が開錠位置に移動して開錠状態とすると共に、キーカード６を引き抜いた際に作動体１２を施錠位置に移動して施錠状態とするようにしたものである。なお、機械式カード錠５には、図６に示すように、挿入口３３にその口を閉じる方向にバネ４３で付勢されているシャッター４４が設けられており、施錠時、開錠時以外は挿入口３３を塞いでこれからゴミ等が侵入するのを防いでいる。
【００１５】
一方、上記枠状本体３は、実施例では、図４に示すように取り付け板１４を折り曲げて左枠部１５を形成し、この取り付け板の上下部に設けた起立片部１６、１７にそれぞれ上枠部１８及び下枠部１９を差し込みこれらをビスで固定して構成しているが、これに代えてやゝ幅広い枠部材で四方を囲む構造としたものやその他の構造のものとすることができる。なお、上記上枠部１８及び下枠部１９の対向する内面には、案内溝２０が形成され、この案内溝に上記スライド板４の上下端部が案内されている。
【００１６】
上記機械式カード錠５にはカバー２１が被せられており、このカバーは、その内面に設けた突起（図示せず）をスライド板４に形成した溝２２に係合し、カバーのビス挿入孔２３とスライド板のビス孔２４にビス４２を係合して固定している。なお、カバー２１の側面にはへこみ部２８が設けられており、このへこみ部２８がカバー２１を機械式カード錠５と共に移動する際の指掛かりとなっている。
【００１７】
上記枠状本体３の取り付け板１４の裏面には、両面テープ等の剥離紙２５付き粘着剤層２６が設けられており、本装置をコンセント部２７の周辺部に装着する場合、上記剥離紙２５を剥がし、枠状本体の開口部２が上記コンセント部２７に相当する位置になるように位置決めしてコンセント部周辺の壁等に接着する。なお、この例では、枠状本体を粘着剤で接着するようにしているが、その他接着剤を用いたり、また粘着剤や接着剤によらずに、あるいは粘着剤や接着剤と共に枠体を直接扉の裏面よりネジ止めしたりして固定するようにしてもよい。
【００１８】
本装置を上記のようにコンセント部周辺部に装着した後は、下記のようにして使用される。
図２、図３及び図８乃至図１１に示すように、機械式カード錠５にキーカード６を差し込み押し込むと、機械式カード錠５はその作動体１２が移動し開錠状態となり、これによって作動体１２に固定した係止板７の折り曲げ部８がストッパー１０との係合から離脱する状態となり機械式カード錠５の移動が可能となる。ここで、機械式カード錠を右方向（コンセントが現れる方向）に移動する。この位置でキーカード６を抜いて施錠とすると、機械式カード錠５はその作動体１２が移動し施錠状態となり、これによって作動体１２に固定した係止板７の折り曲げ部８とストッパー１０が係合し機械式カード錠５の移動が阻止される。この状態において、枠状本体３の開口部２よりコンセント部２７が現れるので、コンセントの使用が可能となる。なお、実施例では、上記ストッパー１０を上記取り付け板１４に突片を接着したり溶着したりして形成しているが、この取り付け板をプレス加工等によって起立部を形成し突起部を形成するようにしてもよい。
【００１９】
ここで、機械式カード錠５を開錠し、左側のコンセント部２７を覆う位置まで移動し、この位置で施錠すると、上記のように機械式カード錠５はその作動体１２が移動し、これによって作動体１２に固定した係止板７の折り曲げ部８とストッパー１０が係合し機械式カード錠５の移動が阻止される。この状態では、取っ手２８は機械式カード錠５によって覆われ、コンセント部２７を使用することができなくなるので、不正な使用を防止することができる。
【００２０】
なお、上記キーカード６の操作は、カバー２１に設けた挿入口３３から機械式カード錠５の差し込み口３４に挿入することによって行われ、その際にカバー２１に表示したマーク３５がキーカード６を挿入するときの目印となる。
【００２１】
上記スライド板に装着した機械式カード錠５がコンセント部２７を覆う位置とその覆いを開放する位置との間で移動する場合、これらの位置で機械式カード錠５の移動を停止できるように、上記枠体の上枠部１８と下枠部１９に凹部３６を設けると共に、この凹部３６に係合するクリック部材３７をスライド板４に設けている。なお、このクリック部材３７は、実施例では板バネで形成しているが、その他ボールとボールを付勢するスプリングで構成するタイプのものを用いることができる。
【００２２】
図１２及び図１３では、スライド板に装着した機械式カード錠５の移動を阻止したり解除したりする手段についての他の例を示している。
図１２に示すものは、枠状本体の下枠部１８に穴３８を形成し、この穴に係止板７の係止部３９を挿入引き出し可能にしている。
また、図１３に示すものは、厚めに形成した枠状本体の取り付け板１４に段溝４０と長溝４１を設け、係止板７に形成した幅狭の折り曲げ部を段溝４０の側面に当てて機械式カード錠５の移動を阻止すると共に係止板７の折り曲げ部８を長溝４１に案内して機械式カード錠５の移動を可能にしている。
【００２３】
図１４のものは、カバー２１のキーカード６挿入口３３を覆うためにカバー片２９を設けた場合を示している。このカバー片２９はその上辺部３０がカバーの上側部に接着やビス止めされて固定され、その下方のカバー片が開閉可能になっている。これによって、例えば、本装置を建物の外壁等の外表面に設置されたコンセントに装着した場合に、カバー２１のキーカード６挿入口３３より雨水やゴミやほこり等が入らないので、機械式カード錠５等の損傷を防ぐことができる。なお、この例では、カバー片２９を透明なプラスチック材で形成しているが、その他不透明,半透明にしたり、適宜これに色彩や模様を施したり、その他の材料を用いて形成することができる。
【００２４】
図１５のものは、上記コンセント不正使用防止装置とコンセント部２７を一体化した場合を示している。このコンセント部は、コンセントカバー３１とコンセントボックス３２を備えている。なお、実施例では、３口のコンセントとなっているが、その他２口その他複数口のコンセントとしたり、これにアースターミナルやＬＡＮ用コンセント等を併設するようにしてもよい。また、コンセント部２７が壁面から突出していたり、このコンセント部に防水用のカバーが設けられている場合には、その厚さに相応して枠状本体３を厚く形成することができる。
【図面の簡単な説明】
【００２５】
【図１】本考案の実施例を示す斜面図である。
【図２】枠状本体の開口部が開いた状態を示す平面図である。
【図３】枠状本体の開口部が閉じた状態を示す平面図である。
【図４】本装置の分解斜面図である。
【図５】機械式カード錠の底面図を示すもので、（Ａ）は解錠状態を示し、（Ｂ）は施錠状態を示している。
【図６】機械式カード錠のキーカード挿入口に設けられるシャッターの取り付け状態を示す斜面図である。
【図７】本装置の拡大縦断面図である。
【図８】枠状本体の開口部が開いている状態（機械式カード錠のカバーを外している）を示す平面図である。
【図９】枠状本体の開口部が閉じている状態（機械式カード錠のカバーを外している）を示す平面図である。
【図１０】機械式カード錠に取りつけた係止板とストッパーが係合する状態を示す平面図である。
【図１１】機械式カード錠に取りつけた係止板とストッパーが離脱している状態を示す平面図である。
【図１２】他の例の係止板の係止、離脱手段を示す平面図である。
【図１３】更に他の例の係止板の係止、離脱手段を示す平面図である。
【図１４】機械式カード錠のカバー部の他の例を示す斜面図である。
【図１５】他の実施例を示す斜面図である。
【符号の説明】
【００２６】
２  開口部    ３  枠体    ４  スライド板    ５  機械式カード錠    ７  係止板    ８  折り曲げ部    １０  ストッパー  １２  作動体    １４  取り付け板    ２５  剥離紙    ２６  粘着剤層    ２７  コンセント部  ２９  カバー片    ３１  コンセントカバー    ３２  コンセントボックス    ３６  凹部    ３７  クリップ部材
【図１】
0003143821.tif 000003
【図２】
0003143821.tif 000004
【図３】
0003143821.tif 000005
【図４】
0003143821.tif 000006
【図５】
0003143821.tif 000007
【図６】
0003143821.tif 000008
【図７】
0003143821.tif 000009
【図８】
0003143821.tif 000010
【図９】
0003143821.tif 000011
【図１０】
0003143821.tif 000012
【図１１】
0003143821.tif 000013
【図１２】
0003143821.tif 000014
【図１３】
0003143821.tif 000015
【図１４】
0003143821.tif 000016
【図１５】
0003143821.tif 000017